(57)【特許請求の範囲】
【請求項１】
カートリッジに液体を通水し該カートリッジ内部に設けた活水用磁石により通水液体に磁気活性化処理を施す磁気活水装置であって、前記通水液体の通常の流れと略直交する磁力線を発生するように活水用磁石が嵌合され前記通水液体が通過可能なように構成された磁石ホルダセットを、隣接する磁石ホルダセットの活水用磁石間に前記通水液体の通常の流れと略平行する磁力線を発生するように前記通水液体の流れに沿って前記カートリッジ内に複数配置した磁気活水装置において、
前記磁石ホルダセットを、その中心部の一定面積部分が中空構造になるように構成し、前記カートリッジ内に、前記複数の磁石ホルダセットの各中心部分を貫通し内部に濾過材が封入された通水管を配置した、ことを特徴とする磁気活水装置。
【請求項２】
請求項１に記載の装置であって、前記通水液体が前記複数の磁石ホルダセットを順次通過した後に前記通水管内の濾過材内を通過しその後外部に導水されるように、前記カートリッジ内に通水路を配置したことを特徴とする磁気活水装置。
【請求項３】
請求項１または２に記載の装置であって、前記カートリッジを円筒形に成形し、前記磁石ホルダセットを、該円筒形のカートリッジ内部に配置できるよう円盤型に成形し、前記活水用磁石を、その磁化された面が前記磁石ホルダセットの円盤面に直立し、かつ前記円盤面の中心部から外周に向かって放射状に配置されるように、前記磁石ホルダセットに嵌合した、ことを特徴とする磁気活水装置。
【請求項４】
カートリッジに液体を通水し該カートリッジ内部に設けた活水用磁石により通水液体に磁気活性化処理を施す磁気活水装置であって、前記通水液体の通常の流れと略直交する磁力線を発生するように活水用磁石が嵌合され前記通水液体が通過可能なように構成された磁石ホルダセットを、隣接する磁石ホルダセットの活水用磁石間に前記通水液体の通常の流れと略平行する磁力線を発生するように前記通水液体の流れに沿って前記カートリッジ内に複数配置した磁気活水装置において、
前記複数の磁石ホルダセットを、前記カートリッジ内の中心部に配置された通水管内に配置し、前記カートリッジ内部であって前記通水管の外周部分に前記通水液体が通過可能なように濾過材を封入した、ことを特徴とする磁気活水装置。
【発明の詳細な説明】
【０００１】
【発明の属する技術分野】
本発明は、カートリッジに水道水等の液体を通水し、そのカートリッジ内部に設けた活水用磁石により、その通水液体を磁気的に活性化する磁気活水装置に関する。
【０００２】
【従来の技術】
カートリッジに活水用磁石を設け、水を磁気的に活性化できるようにした装置が知られており、脱塩素効果等を有する。
【０００３】
本出願人は、かかる磁気活水効果を効果的に発揮できる水処理装置として、特開平１０−１１３６６６号特許出願において、磁石によって発生させられる平行な磁力線が通水方向と直交するように該磁石をカートリッジ内に配置する技術を開示した。
【０００４】
【発明が解決しようとする課題】
上記従来技術は、カートリッジ内を通過する水を、活水用磁石が配置された位置の近傍を通過する間その流れにほぼ直交する互いに平行な複数の磁力線とほぼ直行するように交差させることができるため、磁気活水効果を高めることができるという特徴を有している。
【０００５】
しかしながら、カートリッジ内を通過する水は、予め通水路が確保されているとはいえ、必ずしも一定方向に通水するものではなく、その場合には磁気活水効果が弱まる可能性があった。
【０００６】
また、上記従来技術を用いて磁気活水効果と浄水効果を併せ持つ浄水器を製造した場合、活性炭等の濾過部材は、カートリッジ内部の上記活水用磁石が嵌合された磁石ホルダセットと同じスペース内に充填されるため、浄水効果の低下により濾過部材を交換する必要性が生じた場合には、浄水器を構成する部品を全て分解して交換作業を行う必要があり、交換コストの増加を招くという問題点を有していた。
【０００７】
本発明の課題は、磁気活水効果の向上と濾過部材の交換作業の軽減化を実現することにある。
【０００８】
【課題を解決するための手段】
本発明は、カートリッジに水道水等の液体を通水しそのカートリッジ内部に設けた活水用磁石により通水液体に磁気活性化処理を施す磁気活水装置を前提とする。
【０００９】
本発明の基本的な態様は、通水液体の通常の流れと略直交する磁力線を発生するように活水用磁石が嵌合され通水液体が通過可能なように構成された磁石ホルダセットを、隣接する磁石ホルダセットの活水用磁石間に通水液体の通常の流れと略平行する磁力線を発生するように通水液体の流れに沿ってカートリッジ内に複数配置した構成を有する。この場合に、磁石ホルダセットは、通水液体が比較的低速で通過可能なように、多数の小径の通水孔を有するように構成することができる。
【００１０】
磁気活水装置の原理については、例えば本出願人による前述の特開平１０−１１３６６６号特許出願の「作用」の項で詳細に説明しているが、カートリッジ内に設けた活水用磁石がカートリッジを通過する水道水の水の分子に磁場を印加して水分子の不安定に振動している六角共鳴構造に一定の強さの磁場振動を与えることにより、水の分子を構成する原子やその電子のスピンに磁界を加えてその周波数及びスピン軸を一定にし、水分子のエネルギー準位を安定化させ、おいしい水へと変化させる。そして、磁気活水効果を高めるためには、通水液体が活水用磁石によって発生させられる磁力線と出来る限り多くかつ長い時間交差するように磁気活水装置を実現することが必要となる。
【００１１】
上述の本発明の基本的な態様では、通水液体が磁石ホルダセットを通過するときにそこに嵌合されている活水用磁石によって発生させられる磁力線と略直交するのみならず、そのような磁石ホルダセットが通水路上に複数配置させられることによって磁気活水効果が高められ、かつ隣接する磁石ホルダセットの活水用磁石間に発生した通水液体の流れと略平行する磁力線によって、方向が乱れて通過する通水液体に対しても効果的な磁気活水が行われる。
【００１２】
上述の発明の構成において、磁石ホルダセットを、その中心部の一定面積部分が中空構造になるように構成し、カートリッジ内に、複数の磁石ホルダセットの各中心部分を貫通し内部に濾過材が封入された通水管を配置するように構成することができる。この場合更に、通水液体が複数の磁石ホルダセットを順次通過した後に通水管内の濾過材内を通過しその後外部に導水されるように、カートリッジ内に通水路を配置するように構成することができる。
【００１３】
このような構成により、本発明を浄水器に適用した場合に、浄水効果の低下により濾過材の交換が必要になったときに、例えば通水管内の濾過材を引き抜いて交換することができるため、濾過材の交換コストを軽減できると共に、構造の単純化により浄水器の製造コストも引き下げることができる。
【００１４】
ここまでの発明の構成において、カートリッジを円筒形に成形し、磁石ホルダセットを該円筒形のカートリッジ内部に配置できるよう円盤型に成形し、活水用磁石をその磁化された面が磁石ホルダセットの円盤面に直立しかつ円盤面の中心部から外周に向かって放射状に配置されるように磁石ホルダセットに嵌合するように構成することができる。
【００１５】
この構成により、装置の小型化が可能となる。
【００１６】
本発明の基本的な態様に基づく別の付加態様として、複数の磁石ホルダセットを、カートリッジ内の中心部に配置された通水管内に配置し、カートリッジ内部であって通水管の外周部分に通水液体が通過可能なように濾過材を封入するように構成することも可能である。
【００１７】
【発明の実施の形態】
以下、図面を参照しながら本発明の実施の形態について詳細に説明する。
本発明の第１の実施の形態
図１は、磁気活水機能と浄水機能とを併せ持つ浄水装置に関する本発明の第１の実施の形態の断面図、図２は、その透過斜視図である。
【００１８】
図１又は図２において、まず、本体４と本体キャップ５とからなる浄水器ケースは、略円筒形状を有する。
浄水器ケース内部には、本体４の下部と本体キャップ５の内側突起とで支持されるカートリッジフィルタ３が取り付けられる。
【００１９】
カートリッジフィルタ３の周囲には、図３に示されるように、中心部の一定面積部分が中空構造の磁石ホルダセット１が４段に配置され、各段は、スペーサ２によって相互に固定される。
【００２０】
本体４下部の通水管から矢印Ａの方向に注水された水道水の原水６は、矢印Ｂ−＞Ｃ−＞Ｄ−＞Ｅの順に、第１段目〜第４段目の磁石ホルダセット１を順次通過し、更に、矢印Ｆに示されるように、本体キャップ５の内側からカートリッジフィルタ３に入り、活性炭７中を矢印Ｇ−＞Ｈ−＞Ｉの順に通過して浄水された後、矢印Ｊに示されるように、浄水８として外部に排出される。
【００２１】
図３は、磁石ホルダセット１の１段の構成を示す斜視図である。
同図に示されるように、磁石ホルダセット１は、浄水器ケースの本体４の内径に合わせた径を有する円盤状のベース板１１と、そのベース板１１上に配置される磁石ホルダ１２と、その磁石ホルダ１２にセットされた８対の磁石１３とで構成される。
【００２２】
ベース板１１の中心部の一定面積部分は中空構造になっている。また、ベース板１１には、水がまんべんなく比較的低速で通過可能なように、多数の小径の通水孔が空けられている。
【００２３】
磁石ホルダ１２は、８対の磁石１３が、その磁化された面がベース板１１に対して直立し、かつベース板１１の中心部から外周に向かって放射状に配置して固定されるような構造を有している。
【００２４】
８対の磁石１３の各対は、Ｓ極面とＮ極面とが向かい合うように、磁石ホルダ１２にセットされる。なお、各面の間には磁石ホルダ１２によって一定の間隙が設けられ、その間を水が通水しやすいように配置される。
【００２５】
上述のように、本発明の第１の実施の形態では、磁石１３がベース板１１に放射状に配置されることにより、安価な棒磁石を使って多数の磁石１３をコンパクトに収納することが可能となり、浄水器の磁気活水性能の高い浄水器の小型化を実現している。
【００２６】
図４は、本発明の第１の実施の形態において、浄水器ケースの本体４内部のカートリッジフィルタ３の周囲に配置される４段構造の磁石ホルダセット１の斜視図である。
【００２７】
本体４内部の最下部に配置される磁石ホルダセット１を第１段、本体キャップ５直下に配置される磁石ホルダセット１を第４段とした場合に、第１段と第３段の磁石ホルダセット１には、本体キャップ５側から見下ろしてベース板１１に平行に時計回りの磁力線が発生するように、磁石１３が嵌合される。逆に、第２段と第４段の磁石ホルダセット１には、本体キャップ５側から見下ろしてベース板１１に平行に反時計回りの磁力線が発生するように、磁石１３が嵌合される。
【００２８】
このような構成により、水が各磁石ホルダセット１の孔を通過するときに、その磁石ホルダセット１によって発生させられている磁力線を水の流れの方向と略直交して交差させることができる。これにより、水の流れに対して効果的な磁気活水を施すことが可能となる。
【００２９】
図５は、本発明に特有な第１の実施の形態の効果を説明する図である。
本発明の第１の実施の形態では、図４に示したように、隣接する段の磁石ホルダセット１間で相互に逆回りの磁力線が発生しており、隣接する段の磁石１３のＳ極とＮ極とにより、図５に示されるように、水の通常流れる方向に略平行な磁力線も発生する。
【００３０】
浄水器ケースの本体４内を流れる水の流れは、必ずしも書く磁石ホルダセット１のベース板１１に直交して通過するとは限らず、水圧等によって方向が乱れて通過する場合もある。そのような場合に、本発明の第１の実施の形態では、上述のような水の通常流れる方向に略平行な磁力線によって、方向が乱れて通過する水に対しても効果的な磁気活水を施すことが可能となる。
【００３１】
また、本発明の第１の実施の形態では、磁石ホルダセット１の部分には濾過材を置かずに、４段の磁石ホルダセット１に対して活性炭が封入されたカートリッジフィルタ３を貫通させた構造を有することにより、浄水効果の低下により濾過材の交換が必要になったときに、本体キャップ５を開けてカートリッジフィルタ３を引き抜いて簡単に交換することができる。このため、濾過材の交換コストを軽減できると共に、構造の単純化により浄水器の製造コストも引き下げることが可能となる。
【００３８】
本発明の他の実施の形態
以上説明した実施の形態では、水は浄水器ケースの本体下部から本体キャップ５側に向かって流れるように構成されたが、もちろんその逆の構成も可能である。
【００３９】
またカートリッジフィルタ３には活性炭７が封入されるように構成されたが、活性炭７以外のセラミック等の濾過材が封入されるように構成されてもよい。
また、磁石ホルダセット１の段数は４段に限られるものではない。
【００４０】
上述の実施の形態の構成では、濾過材が封入されたカートリッジフィルタ３が複数段の磁石ホルダセット１を貫通するように構成されているが、他の実施の形態として、複数の磁石ホルダセットを、浄水器ケース内の中心部（上記各実施の形態におけるカートリッジフィルタ３の位置）に配置された通水管内に配置し、浄水器ケース内部であって通水管の外周部分（上記各実施の形態における各磁石ホルダセット１の通水部分）に水が通過可能なように濾過材を封入するように構成することも可能である。
【００４１】
更に、本発明の適用範囲は、磁石ホルダセット１の中心部分にカートリッジフィルタ３が貫通する構造の浄水器には限定されるものではなく、水流に対して直交及び平行の両方向の磁力線を発生させることのできる浄水機能を持たない磁気活水装置として実現することも可能である。
【００４２】
なお、本発明が適用される液体は、水道水等の水に限られるものではない。
【００４３】
【発明の効果】
本発明によれば、通水液体が磁石ホルダセットを通過するときにそこに嵌合されている活水用磁石によって発生させられる磁力線と略直交させるのみならず、そのような磁石ホルダセットを通水路上に複数配置することによって磁気活水効果を高め、かつ隣接する磁石ホルダセットの活水用磁石間に発生した通水液体の通常の流れと略平行する磁力線によって、方向が乱れて通過する通水液体に対しても効果的な磁気活水を施すことが可能となる。
【００４４】
また、磁石ホルダセットを中空構造としそれを貫通し内部に濾過材が封入された通水管を配置することにより、本発明を浄水器に適用した場合に、浄水効果の低下により濾過材の交換が必要になったときに、例えば通水管内の濾過材を引き抜いて交換することができるため、濾過材の交換コストを軽減できると共に、構造の単純化により浄水器の製造コストも引き下げることが可能となる。
【００４５】
また、磁石ホルダセットにおいて磁石を放射状に配置することにより、安価な棒磁石を使って多数の磁石をコンパクトに収納することが可能となり、浄水器の磁気活水性能の高い浄水器の小型化を実現することが可能となる。
【図面の簡単な説明】
【図１】  本発明の第１の実施の形態の断面図である。
【図２】  本発明の第１の実施の形態の透過斜視図である。
【図３】  本発明の第１の実施の形態における磁石ホルダセットの斜視図である。
【図４】  本発明の第１の実施の形態における磁石ホルダセットの４段構造の斜視図である。
【図５】  本発明の第１の実施の形態の原理説明図である。
【図１】
0003693902.tif 000002
【図２】
0003693902.tif 000003
【図３】
0003693902.tif 000004
【図４】
0003693902.tif 000005
【図５】
0003693902.tif 000006